(57)【要約】【課題】  鳥類が飛来してきて止まることを確実に防ぐことができ、鳥類のフンによる公害等を、防ぐことができる鳥類飛来防止装置を提供することを目的とする。【解決手段】  風が通過する軸心Ｌ方向の流路10を有し風を受けて軸心Ｌ廻りに回転する短円筒状回転体１を、備える。回転体１は、ラジアル内方向に突設されて流路10を流れる風を受ける内羽根板２と、ラジアル外方向に突設されて外側を流れる風を受ける外羽根板３と、を有する。回転体１は、ラジアル内外方向へ風を通す複数の窓部５が、その円筒部11に形成されている。また、２つの回転体１を回転自在に保持する支柱部材６と、取付面20に取付けられると共に複数の支柱部材６を所定間隔で複数立設状に保持する長尺帯状の取付基枠30と、を備えている。【選択図】  図１
2006141332.tif 000002
【特許請求の範囲】
【請求項１】
風が通過する軸心（Ｌ）方向の流路（10）を有し風を受けて該軸心（Ｌ）廻りに回転する短円筒状回転体（１）を、備え、
該回転体（１）は、ラジアル内方向に突設されて上記流路（10）を流れる風を受ける内羽根板（２）と、ラジアル外方向に突設されて外側を流れる風を受ける外羽根板（３）と、を有することを特徴とする鳥類飛来防止装置。
【請求項２】
上記内羽根板（２）及び上記外羽根板（３）は、各々二つ以上、周方向に所定間隔をもって配設されると共に、該内羽根板（２）と外羽根板（３）は連続状に一体成形されている請求項１記載の鳥類飛来防止装置。
【請求項３】
上記回転体（１）は、ラジアル内外方向へ風を通す複数の窓部（５）が、その円筒部（11）に形成された請求項１又は２記載の鳥類飛来防止装置。
【請求項４】
上記回転体（１）の外側に於て上記軸心（Ｌ）方向に沿って配設され、該回転体（１）へラジアル方向の風を送るための風偏向板体（８）を、備えた請求項１，２又は３記載の鳥類飛来防止装置。
【請求項５】
一つ又は二つの上記回転体（１）を回転自在に保持する支柱部材（６）と、取付面（20）に取付けられると共に複数の該支柱部材（６）を所定間隔で複数立設状に保持する長尺帯状の取付基枠（30）と、を備えた請求項１，２，３又は４記載の鳥類飛来防止装置。
【請求項６】
上記回転体（１）は、その両端縁（14)(14）に、外鍔部（７)(７）を有する請求項１，２，３，４又は５記載の鳥類飛来防止装置。
【発明の詳細な説明】
【技術分野】
【０００１】
本発明は、鳥類飛来防止装置に関するものである。
【背景技術】
【０００２】
従来の鳥類飛来防止装置は、敷物上のマット上に多数の支柱を林立し、その支柱の先端に鳥類の足を捕らえる係止材を付設したものが知られている（例えば、特許文献１参照）。
【特許文献１】特開平８−２２８６５６号公報
【発明の開示】
【発明が解決しようとする課題】
【０００３】
この鳥類飛来防止装置は、鳥類のフンによる公害等を防止したい各種建造物，高架下，電柱上部といった場所に設置され、飛来してきた鳥類の足を捕らえ引き抜き難くすることで、嫌な記憶を植えつけて、飛来を防止するものである。しかし、学習能力を持つ鳥類は、マットの支柱の上に、小枝，草，土，ゴミ等を運んできて載置し、その上に巣を作るため、飛来防止の効果が失われてしまう。
【０００４】
そこで、本発明は、鳥類が飛来してきて止まることを確実に防ぐことができ、鳥類のフンによる公害等を、防ぐことができる鳥類飛来防止装置を提供することを目的とする。
【課題を解決するための手段】
【０００５】
上記の目的を達成するために、本発明に係る鳥類飛来防止装置は、風が通過する軸心方向の流路を有し風を受けて該軸心廻りに回転する短円筒状回転体を、備え、該回転体は、ラジアル内方向に突設されて上記流路を流れる風を受ける内羽根板と、ラジアル外方向に突設されて外側を流れる風を受ける外羽根板と、を有する。
【０００６】
また、上記内羽根板及び上記外羽根板は、各々二つ以上、周方向に所定間隔をもって配設されると共に、該内羽根板と外羽根板は連続状に一体成形されている。
また、上記回転体は、ラジアル内外方向へ風を通す複数の窓部が、その円筒部に形成された。
また、上記回転体の外側に於て上記軸心方向に沿って配設され、該回転体へラジアル方向の風を送るための風偏向板体を、備えた。
【０００７】
また、一つ又は二つの上記回転体を回転自在に保持する支柱部材と、取付面に取付けられると共に複数の該支柱部材を所定間隔で複数立設状に保持する長尺帯状の取付基枠と、を備えた。
さらに、上記回転体は、その両端縁に、外鍔部を有する。
【発明の効果】
【０００８】
本発明は、次のような著大な効果を奏する。
本発明の鳥類飛来防止装置は、軸心廻りに回転する短円筒状回転体を、備え、回転体は、ラジアル内方向に突設される内羽根板と、ラジアル外方向に突設される外羽根板と、を有するので、内羽根板と外羽根板とで、内外の風を受け、微風であっても、回転体は確実に回転し、鳥類等が飛来してきても、止まることを防ぐと共に、枯れ葉等を置くことによる巣作りを、防ぐことができて、フンによる公害等を低減できる。
また、ゴミ等が回転体上に落下しても、回転により確実に下方に落下するので、美観が保たれる。
また、仮に全くの無風状態であっても、鳥類が飛来してきて回転体に止まろうとすると、回転体が回転し、好都合である。
【０００９】
また、回転体は、ラジアル内外方向へ風を通す複数の窓部が、その円筒部に形成されているので、回転体の内外に吹く風を、窓部を通して内・外羽根板のどちらにも効果的に吹き付けられるので、微風であっても、回転体を確実に回転させることができる。特に、ラジアル方向から微風が吹いていても、力強く回転する。
【００１０】
さらに、一つ又は２つの回転体を回転自在に保持する支柱部材と、取付面に取付けられると共に複数の支柱部材を所定間隔で複数立設状に保持する長尺帯状の取付基枠と、を備えているので、複数の回転体を連続させて配設させることができる。また、取付面にリベット頭やボルト頭部等が突設する等の凸部が存在する場合でも、枠体から成るので、干渉する部分のみを鋏等の作業工具で切断して使用することができる。
【００１１】
さらに、回転体の外側に於て軸心方向に沿って配設され、回転体へラジアル方向の風を送るための風偏向板体を、備えれば、回転体の前方で吹く風を、各回転体の方向（ラジアル方向）に吹くようにガイドでき、回転体を、効果的に回転させることができる。
また、回転体の回転により落下したゴミ等が、風偏向板体の上面を滑り落ちるので、取付基枠の上に落下することを防ぐことができ、風偏向板体が障害となって、すずめ等の小動物が、回転体と取付基枠の間に侵入するのを防ぐ。
また、風偏向板体がカバーとなって、外部からの美観の低下が防がれる。
【発明を実施するための最良の形態】
【００１２】
以下、実施の形態を示す図面に基づき、本発明を詳説する。
図１，図２，図３及び図４に示すように、本発明に係る鳥類飛来防止装置は、風を受けて軸心Ｌ廻りに回転する短円筒状回転体１を備え、この回転体１は、風が通過する軸心Ｌ方向の流路10を有する円筒部11を、備える。  
【００１３】
また、回転体１は、円筒部11の内周面11ａからラジアル方向内方に突設され流路10を流れる風を受ける内羽根板２と、円筒部11の外周面11ｂからラジアル方向外方に突設され外側を流れる風を受ける外羽根板３と、を備える。
かつ、回転体１は、円筒部11の中央に配設され（後述の軸棒24が挿嵌される）軸心Ｌ方向の孔部を有する小円筒状軸受部12と、軸受部12の外周からラジアル方向放射状に所定間隔をもって突設される複数の細腕部13…と、を備え、内羽根板２は、各細腕部13の端部13ａと円筒部11の内周面11ａとを連結状とするように、配設される。
かつ、内羽根板２は、細腕部13の端部13ａから内周面11ａにかけて拡開状（扇状）に形成されると共に、軸心Ｌ方向から所定角度傾いて配設されている。
外羽根板３は、弯曲状（小扇形状）であり、円筒部11の外周面11ｂに、内羽根板２と連続平面状として、突設されている。
実施例では、回転体１は、４本の細腕部13…を有し、各細腕部13に、内羽根板２及び外羽根板３が１枚ずつ付設されている。
外羽根板３と内羽根板２は、形状が連続状として一体成形される。あるいは、内羽根板２と外羽根板３を、形状として分離して配設もよい。その場合も一体成形が好ましい。
いずれにせよ、円筒部11と内羽根板２と外羽根板３とは、プラスチックの射出成形にて一体成型されるのが望ましい。
【００１４】
また、回転体１の円筒部11は、ラジアル内外方向へ風を通す複数の窓部５…が、形成されている。各窓部５は矩形状に切欠形成され、複数の窓部５…が、円筒部11に、左右２列で、周方向に所定ピッチをもって形成される。
また、回転体１は、円筒部11の両端縁14，14に形成された一対の外鍔部７，７を、有する。この外鍔部７，７は、回転体１…が、同一軸心Ｌ廻りに回転可能として近接して配設されて使用される際に、隣り合う回転体１，１の間に、枯れ葉等のゴミを入り込ませないためのものである。
円筒部11は、横幅が、直径よりも小さく設定されて、形成される。
【００１５】
さらに、この鳥類飛来防止装置は、一つ又は二つの回転体１を回転自在に保持する帯板状支柱部材６と、（Ｈ鋼やベランダ等の）取付面20に取付けられると共に複数の支柱部材６を所定間隔で複数立設状に保持する長尺帯状の取付基枠30と、を備える。
具体的には、取付基枠30は、長尺帯状の帯板部31と、帯板部31の上面に長手方向に所定間隔で立設され支柱部材６の下部６ｂを抜差自在に挿嵌して鉛直状に保持する支持筒部32…と、を有する。
支持筒部32は、平面視矩形筒形状で、左右一対の壁部に、縦スリット32ａ，32ａが形成される。また、帯板部31は、取付面20上に突出している（ボルト頭部等の）障害物を通す（避ける）複数の窓部33…や切欠部34…が、切欠形成されている。
また、支柱部材６は、（回転体１の軸受部12に挿嵌される）軸棒24が挿嵌される孔部25が、上部６ａに形成されると共に、取付基枠30の支持筒部32に挿嵌される際に縦スリット32ａ，32ａに差込まれる係止突部26，26が、下部６ｂに突設される。支持筒部32から支柱部材６を引き抜くために、係止突部26が、ドライバー等で引っ掛けて引き上げられる。
取付基枠30は、200mm 〜2000mmの長さ（長尺状）に形成するのがよい。
【００１６】
また、８は、回転体１へラジアル方向の風を送るための風偏向板体である。
風偏向板体８は、横長帯板形状であり、回転体１の外側に於て軸心Ｌ方向に沿うと共に回転体１側に傾斜状として、その下端部８ａが、取付基枠30の上面に取り付けられる。
かつ、風偏向板体８は、取付基枠30を取付面20に固定するクランプ部材16を通す（避ける）ための切欠部18が、下辺に形成される。
【００１７】
図５は取付基枠の比較例を示し、この取付基枠35は、長尺帯状の帯板部36と、帯板部36の上面に長手方向に立設され回転体１を挟持状に保持する支持板部37…と、を有する。
具体的には、支持板部37…は、一つの回転体１を挟持可能な間隔Ｄと、近接した間隔とを有するように、交互に配設される。
各支持板部37は、軸棒24が挿嵌される孔部37ａが、形成され、各孔部37ａ…は、複数の回転体１…を同一軸心Ｌ方向に保持するように、形成される。
また、取付基枠35は、取付面20上に付いている（ボルト頭部等の）障害物を避ける（通す）ための複数の窓部33…や切欠部34…が、形成され、かつ、帯板部36は、近接して隣り合う支持板部37，37の下端部位を隔離するスリット38が、窓部33に連続するように形成されている。帯板部36の前後端辺部39を、切断すれば、この取付基枠35は、スリット38により、回転体１を一つずつ保持する単体の取付基枠へと、複数に分割される。
図６は、取付基枠30（取付基枠35）を上部に挟持状に保持する平板状固定具17を示し、固定具17は、ステンレス等から成り、ベランダの壁体や塀の上等の取付面20に、接着剤やビス等で固定される。
【００１８】
次に、この鳥類飛来防止装置の使用方法について説明する。
先ず、図４に於て、支柱部材６の孔部25に、軸棒24を挿嵌する。そして、軸棒24の両側に、小円筒体27，27、回転体１，１の軸受部12，12を、順に挿嵌し、軸棒24の両端にピン23，23を挿入して固定する。
次いで、支柱部材６の下部６ｂを取付基枠30の支持筒部32に差込んで、立設させる。
そして、図１に示すように、回転体１を付設した取付基枠30…を、（Ｈ鋼等の）取付面20にクランプ部材16で、取付ける。
また、取付基枠30の帯板部31の上面に、風偏向板体８を固定させる。
【００１９】
回転体１に、軸心Ｌ方向の風が吹くと、矢印22のように、各回転体１の流路10を通り、各内羽根板２…が風を受けると共に、流路10内を通る風の一部が、窓部５を介して外羽根板３…に吹き付ける。
また、回転体１の前方で吹く風が、風偏向板体８の上面に矢印21のようにガイドされて、各回転体１へラジアル方向に吹いて、外羽根板３…が風を受けると共に、風の一部が窓部５を通って流路10内に流れ、内羽根板２に吹き付ける。
このように、ラジアル方向から微風が吹いても、内・外羽根板２，３が風を受けて、回転体１は確実に、矢印Ｒのように力強く回転する。
そして、回転体１…が回転することで、鳥類が飛来してきても止まるのを防ぐ。また、枯れ葉等のゴミが回転体１上に落ちても、回転により落下して、積もらない。
また、外鍔部７，７により、近接して隣り合う回転体１，１の間への枯れ葉等のゴミの侵入が、防がれる。
また、回転体１は、風を受けて回転することで、風圧を逃がすので、破損しない。
【００２０】
図示省略するが、取付面20にリベット頭やボルト頭部等が突設する等の凸部が存在する場合は、取付基枠30は、枠材から形成されているので、干渉する部分のみを鋏等の作業工具で切断して使用すればよい。
また、取付基枠30の帯板部31を、弯曲変形可能な柔軟な材質から形成することで、弯曲状の取付面20の形状に沿うように変形させて取り付けることもできる。
また、図示省略するが、一の取付基枠30の窓部33に、下方から別の取付基枠30の支持筒部32を挿嵌するようにして、一の取付基枠30に別の取付基枠30を重ねて収納できる。なお、円筒部11に於て、その窓部５を省略して、円筒周面壁とするも、好ましい場合がある（図示省略）。
【００２１】
以上のように、本発明に係る鳥類飛来防止装置は、風が通過する軸心Ｌ方向の流路10を有し風を受けて軸心Ｌ廻りに回転する短円筒状回転体１を、備え、回転体１は、ラジアル内方向に突設されて流路10を流れる風を受ける内羽根板２と、ラジアル外方向に突設されて外側を流れる風を受ける外羽根板３と、を有するので、内羽根板２と外羽根板３とで、内外の風を受け、微風であっても、回転体１は確実に回転し、鳥類等が飛来してきても、止まることができず、かつ、枯れ葉等を置くことによる巣作りを、防ぐことができる。よって、フンによる公害等を低減できる。また、ゴミ等が回転体１上に落下しても、回転により確実に下方に落下するので、美観が保たれる。
また、仮に全くの無風状態であっても、鳥類が飛来してきて回転体１に止まろうとすると、回転体１が回転し、好都合である。
【００２２】
また、内羽根板２及び外羽根板３は、各々二つ以上、周方向に所定間隔をもって配設されると共に、内羽根板２と外羽根板３は連続状に一体成形されているので、風が、内羽根板２と外羽根板３に非常に効率よく吹き付けるので、微風であっても、回転体１を確実に回転させられる。
【００２３】
また、回転体１は、ラジアル内外方向へ風を通す複数の窓部５が、その円筒部11に形成されているので、回転体１の内外に吹く風を、窓部５を通して内・外羽根板２，３のどちらにも効果的に吹き付けられるので、微風であっても、回転体１を確実に回転させることができる。特に、ラジアル方向から吹く風を有効に受けて、力強く回転する。
【００２４】
また、回転体１の外側に於て軸心Ｌ方向に沿って配設され、回転体１へラジアル方向の風を送るための風偏向板体８を、備えているので、回転体１の前方で吹く風を、各回転体１の方向（ラジアル方向）に吹くようにガイドでき、回転体１を、効果的に回転させることができる。
また、回転体１の回転により落下したゴミ等が、風偏向板体８の上面を滑り落ちるので、取付基枠30の上に落下することを防ぐことができる。また、風偏向板体８が障害となって、すずめ等の小動物が、回転体１と取付基枠30の間に侵入するのを防ぐ。
また、風偏向板体８がカバーとなって、外部からの美観の低下が防がれる。
【００２５】
また、一つ又は二つの回転体１を回転自在に保持する支柱部材６と、取付面20に取付けられると共に複数の支柱部材６を所定間隔で複数立設状に保持する長尺帯状の取付基枠30と、を備えているので、複数の回転体１…を連続させて配設させることができる。
また、取付面20にリベット頭やボルト頭部等が突設する等の凸部が存在する場合は、干渉する部分のみを鋏等の作業工具で切断して使用することができる。
【００２６】
また、回転体１は、その両端縁14，14に、外鍔部７，７を有するので、枯れ葉等のゴミが回転体１上に落ちた場合に、外鍔部７，７により、確実に、回転する方向に落下させられる。よって、ゴミが隣り合う回転体１，１の間に挟まることによる回転の妨げを防ぐことができ、回転体１の下方に枯れ葉等が堆積して美観が損なわれることもない。
【図面の簡単な説明】
【００２７】
【図１】本発明に係る鳥類飛来防止装置の実施の一形態を示す斜視図である。
【図２】一部断面要部正面図である。
【図３】要部側面図である。
【図４】説明用分解斜視図である。
【図５】取付基枠の比較例を示す斜視図である。
【図６】固定具を示す斜視図である。
【符号の説明】
【００２８】
１  回転体
２  内羽根板
３  外羽根板
５  窓部
６  支柱部材
７  外鍔部
８  風偏向板体
10  流路
11  円筒部
14  端縁
20  取付面
30  取付基枠
Ｌ  軸心
【図１】
2006141332.tif 000003
【図２】
2006141332.tif 000004
【図３】
2006141332.tif 000005
【図４】
2006141332.tif 000006
【図５】
2006141332.tif 000007
【図６】
2006141332.tif 000008